(57)【要約】人工光型の植物工場で、発芽期（播種から一次育苗直前まで）の成長過程における“植物個体群”の植物特性を追跡して自動で評価する。具体的には、画像情報２ａ、環境要因情報２ｂ、遺伝子特性情報２ｃ、人為的操作情報２ｄに基づいて、発芽期の成長過程における植物特性情報を非破壊で連続的に計測して植物特性の２次元分布を計算する。また、環境制御された閉鎖空間に栽培されている植物個体群の生理性能的反応を連続的に計測すると共に、環境要因情報の２次元分布及び気温、飽差、養液率、養液の温度、ｐＨ、電気伝導度などを連続的に計測する。
2020170939.tif 000002
【特許請求の範囲】
【請求項１】
演算・制御部、データセット入力部、データ・ストレージ、機械学習部、画像処理部、統計的データ解析部、関連付け／因果関係導出計算部、及び検証部を有する統括制御部で構成される人工光型植物工場種子コホートフェノタイピングシステムであって、
前記統括制御部は、前記データセット入力部から入力して前記データ・ストレージに格納された画像情報、環境要因情報、遺伝子特性情報、人為的操作情報に基づいて、発芽期の成長過程における植物特性情報を非破壊で連続的に計測して植物特性の２次元分布を計算し、環境制御された閉鎖空間に播種された種子の発芽期の生理性能的反応を連続的に計測すると共に、環境要因情報の２次元分布及び養液の温度、気温、飽差、養液率、ｐＨ、電気伝導度を連続的に計測することにより、植物工場での生産の自動化、及びその種苗生産における種子選抜・育成作業の自動化の労力及び作業時間を低減し、発芽率の向上と均一な苗の生産を可能とすることを特徴とする人工光型植物工場種子コホートフェノタイピングシステム。
【請求項２】
前記２次元分布の計算は、ＲＧＢ画像情報取得手段とＩＲ画像情報取得手段を用いて、種子の形態、サイズ、色、種子温度、発芽のタイミング、培地表面温度、幼根の伸長速度を画像情報として取り込むことを特徴とする請求項１に記載の人工光型植物工場種子コホートフェノタイピングシステム。
【請求項３】
前記生理性能的反応は、種子が水を含み膨潤し休眠状態にあった成長点が発育を開始する際の吸水速度、ならびに種子のサイズに対する養液の含水量、発芽に必要な酸素濃度を含むことを特徴とする請求項１に記載の人工光型植物工場種子コホートフェノタイピングシステム。
【請求項４】
前記環境要因情報は、気温、飽差、養液率、養液温度、ｐＨ・電気伝導度を含むことを特徴とする請求項１に記載の人工光型植物工場種子コホートフェノタイピングシステム。
【請求項５】
前記遺伝子特性情報は、成長した植物体から抽出したゲノムＤＮＡ及びＲＮＡから各種遺伝子工学実験により得たゲノム情報及び既知のゲノム情報データベースとの相同性情報を含むことを特徴とする請求項１に記載の人工光型植物工場種子コホートフェノタイピングシステム。
【請求項６】
前記人為的操作情報は、播種者、播種の所要時間、播種箱の発芽部内の位置、計測誤差を含むことを特徴とする請求項１に記載の人工光型植物工場種子コホートフェノタイピングシステム。
【請求項７】
前記発芽率は９９．９％以上であることを特徴とする請求項１に記載の人工光型植物工場種子コホートフェノタイピングシステム。
【発明の詳細な説明】
【技術分野】
【０００１】
本発明は、人工光型植物工場に種子フェノタイピング手法を統合することで、無農薬でクリーンな植物を通年計画で生産する人工光型植物工場における種子コホートフェノタイピングシステムに関する。
【背景技術】
【０００２】
従来の人工光型植物工場は、閉鎖した空間内に設備した栽培モジュールで光・温熱空気環境を制御することで農薬を使用しないクリーンな植物（典型的には野菜、以下野菜とも表記する）を季節に関係なく、かつ計画的に必要量を生産することを可能としたものである。すなわち、播種から発芽、育苗、移植、栽培し、収穫した植物のトリミング調整、包装、出荷という一連の工程を通し、現在では日量数千乃至数万株もの野菜を消費者に供給することができるようになっている。【０００３】
一般に、植物体の生産過程では、育成・栽培中の表現型（植物特性）を測定し、評価することがよく行われる。この評価を表現型評価（フェノタイピング）と称する。従来のフェノタイピングは、定期的に植物体（サンプル）を採取し、これを破壊して、その表現型を測定し、評価しているのがほとんどである。この破壊による表現型の測定・評価は時間と労力を必要とする。【０００４】
その対策として、近年は圃場や水田、森林などの屋外にある植物については、特定の“植物個体群”を対象としたドローンや大型のガントリークレーンを用い、屋内で栽培する植物に対しては、“単独植物個体群”を対象とした複数の一眼レフカメラなどのイメージセンサを用いて非破壊の植物特性自動評価技術も開発されつつある（非特許文献１）。【０００５】
なお、もやしの水耕栽培システムにおいて、栽培室内の酸素濃度、二酸化炭素濃度、温度を測定し、散水を制御することで生産性を向上するもの（特許文献１）、植物の背丈、ウエイトなどを測定して人工光（ＬＥＤ）をコントロールするもの（特許文献２）なども提案されている。【０００６】
そして、植物の成長過程における形状、色、などの状態変化を画像解析により取得し、解析する植物生育解析システムも提案されている（特許文献３）。
【先行技術文献】
【特許文献】
【０００７】
【特許文献１】特許第６１４４２９０号公報
【特許文献２】米国特許公開公報２０１４／０３７６２３９  Ａ１
【特許文献３】特開２００５−２２９８１８号公報
【非特許文献】
【０００８】
【非特許文献１】北隆館２０１８年３月２０日発行「アグリバイオ」２０１８年３月号，ｐｐ．２１８−２６１
【発明の概要】
【発明が解決しようとする課題】
【０００９】
植物は、生育環境に応答してその形態（特性：植物特性）を時間と共に変化させる。人工光型の植物工場で、その生産工程と並行して“植物個体群”の植物特性の成長過程を追跡して自動で評価するシステムは過去に例がない。【００１０】
発芽経過時刻のばらつき、発芽率及び発芽後の生育の均一性に影響する３大要因は、（１）種子の遺伝的な特性及び品質、（２）栽培環境、（３）播種及び育種における人為的な操作の変動、である。これらの要因が単一で、又は複合的に影響し合って収穫段階における生育差を大きくしている。しかし、このような要素の植物成長への影響に関する知見の体系的な整理は未だ完了しておらず、早急な対応が望まれている。【００１１】
従来のフェノタイピング手法を用いると、装置の大型化、高価なカメラ等を複数必要とすることに加えて、人工光型の植物工場では、大型の装置を設置することができず、露地栽培（屋外）では必要としない照明手段や空調システムを設置する必要があるため、高コストとなってしまう。【００１２】
本発明の目的は、上記従来技術における諸課題を解決することにあり、人工光型の植物工場での植物特性を追跡して自動で評価するシステムを提供することにある。
【課題を解決するための手段】
【００１３】
上記目的を達成するために、本発明は、人工光型植物工場での“植物個体群”の播種から一次育苗直前まで（＝発芽期）に絞り成長過程を追跡して特性データを収集する要因対照研究（ｆａｃｔｏｒ−ｃｏｎｔｒｏｌ  ｓｔｕｄｙ）、所謂種子コホート研究を可能とするものである。【００１４】
本発明に係る人工光型植物工場種子コホートフェノタイピングシステムは、下記の構成としたことを特徴とする。なお、本発明に係るシステムの構成を明確にするため、対応する実施例の図面における主要構成の符号を付してある。【００１５】
（１）本発明に係るシステムは、演算・制御部１、データセット入力部２、データ・ストレージ３、機械学習部４、画像処理部５、統計的データ解析部６、関連付け／因果関係導出計算部７、及び検証部８を備える統括制御部３０を有する。
前記統括制御部３０は、前記データセット入力部２から入力して前記データ・ストレージ３に格納された画像情報２ａ、環境要因情報２ｂ、遺伝子特性情報２、人為的操作情報２ｄに基づいて、発芽期（播種から一次育苗直前の期間）の成長過程における植物特性情報を非破壊で連続的に計測して植物特性の２次元分布を計算し、
環境制御された閉鎖空間に播種された種子の発芽期の生理性能的反応を連続的に計測すると共に、環境要因情報の２次元分布及び養液の温度、気温、飽差（飽和水蒸気量と絶対湿度の差）、養液率、ｐＨ、電気伝導度を連続的に計測する。【００１６】
（２）前記２次元分布の計算は、ＲＧＢ画像情報取得手段２４とＩＲ画像情報取得手段２５を用い、種子の形態、サイズ、色、種子温度、発芽のタイミング（発芽経過時刻）、培地表面温度、幼根の伸長速度を画像情報として取り込んで行う。【００１７】
（３）前記生理性能的反応は、種子が水を含んで膨潤し、休眠状態にあった成長点が発育を開始する際の吸水速度、ならびに種子のサイズに対する養液の含水量（種子含水率）、発芽に必要な酸素濃度を含む。【００１８】
（４）前記環境要因情報は、気温、飽差、養液率（注水容積Ｖ２（ｃｍ３）を種子マットの容積Ｖ１（ｃｍ３）で除した体積基準養液率を指す）、養液温度、ｐＨ・電気伝導度を含む。【００１９】
（５）前記遺伝子特性情報は、成長した植物体から抽出したゲノムＤＮＡおよびＲＮＡから各種遺伝子工学実験により得たゲノム情報および既知のゲノム情報データベースとの相同性情報を含む。【００２０】
（６）前記人為的操作情報は、播種者、播種の所要時間、播種箱の発芽部（播種から一次育苗前の温湿度・暗黒条件を制御・維持する発芽装置）内の位置、計測誤差を含む。【００２１】
なお、本発明は上記の構成及び後述する実施例の構成に限定されるものではなく、本発明の技術思想の範囲内で種々の変形が可能である。
【発明の効果】
【００２２】
本発明により、今後必要とされる大型植物工場での生産の自動化、およびその種苗生産会社における種子選抜・育成作業の自動化などのための労力および作業時間を低減し、ほぼ従来の１０分の一以下とすることができる。
また、データ・ストレージ３に蓄積されたデータから種子の形態、サイズ、色、種子温度、発芽経過時刻、幼根の伸長速度、及び植物成長への影響に関する知見を深め、現実では通常８０％程度の発芽率を９９．９％以上に向上することが可能である。【００２３】
前記したＡ．）発芽期の成長過程における植物特性を非破壊で連続的に計測し、植物特性の２次元分布の計測と、Ｂ．）環境制御された閉鎖空間に栽培されている植物個体群の生理性能的反応を連続的に計測すると共に、Ｃ．）環境要因情報の２次元分布及び養液の温度、ｐＨ、電気伝導度などの連続的な計測で得られた植物特性データは、廉価な小型電子機器で収集できる。【００２４】
また、本発明によれば、人工光型の植物工場で、発芽期の成長過程を追跡して自動で評価することで、植物個体を非破壊で、かつ連続的に全体を自動フェノタイピングすることが可能となり、均一な苗を生産することができる。
【図面の簡単な説明】
【００２５】
【図１】本発明に係る人工光型植物工場種子コホートフェノタイピングシステムの１実施例を説明する機能ブロック図。
【図２】本発明に係る人工光型植物工場種子コホートフェノタイピングシステムを適用する発芽部の概要を説明する模式図。
【図３】図２に示された種子マット（培地）の構成例を説明する平面図。
【図４】発芽部内の種子マットにおける種子ポットに播種された種子の発芽状態を画像解析する様子の説明図。
【図５】発芽部の種子マットの表面温度の測定とデータ化の様子の説明図。
【図６】発芽部の種子マットの表面温度の測定とデータ化の様子の説明図。
【図７】現状の発芽経過時刻のばらつきと本システムによって減少するばらつきの程度の目標を示す正規分布。
【図８】本システムによって取得したデータから導き出される結果の参考例。
【図９】本発明にかかる人工光型植物工場種子コホートフェノタイピングシステムにおける処理の流れの一例を示すフロー図。
【図１０】種子マットに播種された種子の発芽状態を示すＲＧＢデータ取得イメージの一例。
【発明を実施するための形態】
【００２６】
以下、本発明を実施例の図面を参照して詳細に説明する。
図１は本発明に係る人工光型植物工場種子コホートフェノタイピングシステムの１実施例を説明する機能ブロック図で、符号１は演算・制御部で、所謂クラウドコンピュータで構成される。演算・制御部１には、データバス１１を介してデータセット入力部２、データ・ストレージ３、機械学習部４、画像処理部５、統計的データ解析部６、関連付け／因果関係導出計算部７、検証部８が接続されている。また、画像モニターなどの表示デバイスからなる可視化部９、あるいは通信制御装置やキーボード、プリンターなどの入出力手段などを含む周辺機器がその他１０として接続される。
【００２７】
データセット入力部２は、環境要因情報２ｂ、遺伝子特性情報２ｃ、人為的操作情報２ｄの各入力部を有し、それらに対応する初期値が入力される。入力された各初期値はデータ・ストレージ３に格納される。
【００２８】
植物特性の２次元分布は、前記環境要因情報２ｂ、前記遺伝子特性情報２ｃ、前記人為的操作情報２ｄ及び計測誤差情報２ｅの分布の結果として表現されると仮定して、前記遺伝子特性情報２ｃ、前記人為的操作情報２ｄ及び前記計測誤差情報２ｅの分布を前記植物特性の分布に及ぼす寄与度の計算で得る。
【００２９】
時系列で並べられた植物特性の２次元分布は、環境要因情報２ｂ、遺伝子特性情報２ｃ、人為的操作情報２ｄ及び計測誤差情報２ｅの分布の結果として表現されると仮定して計算された遺伝子特性情報２ｃ、人為的操作情報２ｄ及び計測誤差情報２ｅの分布が植物特性の２次元分布に及ぼす寄与度のデータセットとしてデータ・ストレージ３に格納される。
【００３０】
植物特性の２次元分布、環境要因情報２ｂ、遺伝子特性情報２ｃ、人為的操作情報２ｄ及び計測誤差情報２ｅの関連付け、及び環境要因情報２ｂ、遺伝子特性情報２ｃ、人為的操作情報２ｄ及び計測誤差情報２ｅの分布に対する寄与度を関連付け／因果関係導出計算部７が機械学習部（ディープラーニング部）４を用いて計算する。
【００３１】
上記の植物特性の２次元分布、環境要因情報２ｂ、遺伝子特性情報２ｃ、人為的操作情報２ｄ及び計測誤差情報２ｅの関連付け、及び環境要因情報２ｂ、遺伝子特性情報２ｃ、人為的操作情報２ｄ及び計測誤差情報２ｅの分布に対する寄与度の計算には、物質・エネルギー収支、植物成長、多変量解析、行動（ｂｅｈａｖｉｏｒ又はｓｕｒｒｏｇａｔｅ）に関するモデルも利用する。
【００３２】
図２は本発明に係る種子コホートフェノタイピングシステムを適用する発芽部の概要を説明する模式図で、種子フェノタイピングユニットとも称する。図中、符号２０は発芽部の筐体であり、本実施例では内部に発泡ウレタン床（培地、以下、単にウレタン）の種子マット２１がセットされている。種子マット２１には所定の密度で整形された複数の種子ポット（凹部）２３を有し、それぞれのポット２３に種子２３ａが播種されている。そして、種子マット２１ は養液を満たした播種箱（発泡スチロール材）２２に均一に浸漬している。なお、養液温度制御や酸素濃度測定、種子含水率測定などの付帯機構は図示を省略してある。
【００３３】
発芽部の筐体２０の内部で、種子マット２１の上方に２台の撮像装置（カメラ）が設置されて種子マット２１に播種されている種子２３ａを撮影するように配置されている。カメラの一方はＲＧＢカメラ２４、他方のカメラはＩＲ（赤外線）カメラ２５である。
ＲＧＢカメラ２４は２次元のカラー画像データを取得するもので、種子マット２１の２次元平面の色光データと光強度データを前記演算・制御部１を中核として構成される統括制御部３０に出力する。
【００３４】
ＩＲカメラ２５は赤外線領域の分光カメラであり、熱画像カメラとして利用する。あらかじめ熱電対を利用した校正をし、種子マット（培地）の色や材質を考慮した放射率を認識し、種子および種子マット（培地）の表面温度を得る。本実施例では簡易版ということもあって、ＲＧＢカメラ２４とＩＲカメラ２５を使用するが、同様の機能を有する他のカメラの使用を排除するものではない。
【００３５】
なお、同一画素内で近赤外線領域の感度を電気的に変えることができるＣＭＯＳセンサーも開発されているので、上記の２台のカメラに代えてこのイメージセンサを用いたカメラを採用することも可能である。
【００３６】
図２の発芽部の筐体２０の内部には、筐体内部の温度や種子含水率などを検出する各種のセンサー２６が設置されている。ＲＧＢカメラ２４、ＩＲカメラ２５及び各種のセンサー２６の出力データは図１の画像情報２ａとして演算・制御部１で構成された計測評価手段を装備した統括制御部３０に転送される。
なお、統括制御部３０には、筐体２０内に設けられた人工光照明モジュール（ＬＥＤパネル）２７の制御部、発芽部の筺体２０内の空調制御部などの植物工場として必要な要素の制御手段が設けられている。
【００３７】
図３は図２に示された種子マットの構成例を説明する平面図で、同図（ａ）は種子マット２１の全体平面を、同図（ｂ）は同図（ａ）の一部３×３の種子ポット２３部分の拡大図である。
この種子マット２１は、種子２３ａを発芽させる培地であり、その種類、養液率、筐体内や養液の温度などの諸条件を変えて種子を育成する。その育成過程をＲＧＢカメラ２４、ＩＲカメラ２５を用いて、所定のインターバルで時系列に撮影し、画像情報２ａとして図１のデータ・ストレージ３に格納する。そして、その画像情報２ａは、演算・制御部１で構成された計測評価手段を装備した統括制御部３０に転送され、画像処理部５で処理され、その結果もデータ・ストレージ３に格納される。
【００３８】
図４は発芽部内の種子マットにおける種子ポットに播種された種子の発芽状態を画像解析する様子の説明図で、同図（ａ）は種子２３ａの発芽状態を目視で確認した状態の種子マット２１で、解り易いように発芽が確認されたポットを○で囲んで図示してある。
【００３９】
種子の発芽の確認と評価は、ＲＧＢカメラ２４の撮影画像に基づいて、演算・制御部１の制御により、関連付け／因果関係導出計算部７が機械学習部４を用いて実行する。
ＲＧＢカメラ２４で撮影された種子マット２１の撮影画像は、画像情報２ａとしてデータ・ストレージ３に記録される。そして、その画像情報２ａは、発芽している種子ポット２３と、未発芽の種子ポット２３とに解析され、図４（ｂ）に示すように、発芽した種子ポットは「ＴＲＵＥ」、未発芽のポットは「ＦＡＬＳＥ」としてデータベースに記録される。
図１０は、ＲＧＢカメラで撮影された種子マットに播種された種子の発芽状態のデータ取得イメージの一例である。
種子マット２１に播種された種子２３ａの発芽状態はＲＧＢカメラ２４で撮影され、撮影されたＲＧＢ画像は、例えば図１０に示すデータ取得イメージのように処理され、連続的に撮影された全種子の時系列画像として記録される。図１０では、播種時から４８時間後まで時系列に画像が記録されている。図１０（ａ）は種子タイプが非コート種子、（ｂ）はコート種子の場合の例である。そして前記時系列画像から個体ごとに生長過程を分析し発芽データを取得する。そして、分析された情報はデータベースに記録されるとともに、各画像に「未発芽（Ｆ）」「発芽（Ｔ）」「発芽済（Ｔ）」のタグが自動的に付される。
前記自動的に付されたタグは、例えば、図４（ｃ）に示すように、種子マット２１を模した表示手段（ディスプレー等）の画面上に、「未発芽」と分析された種子ポット２３の位置には‘Ｆ’と表示され、「発芽」「発芽済」と分析された位置には‘Ｔ’が表示され可視化処理される。
このようにして、植物特性の２次元分布が算出され、算出された情報は、図４（ａ）に示す目視評価による正確な発芽判断情報との整合性評価がなされるなどして、データ・ストレージ３に記録される。
【００４０】
図５及び図６は発芽部内の種子マット（培地）の表面温度の測定とデータ化の様子の説明図で、図５（ａ）は発芽部内を上方（カメラ側）からＲＧＢカメラ２４でみた種子マット２１の表面、図５（ｂ）は同じようにＩＲカメラ２５で撮影した種子マット２１の表面温度の分布を示す。図５（ｂ）の濃度の濃い部分は、カラー画像では赤色の濃淡で示される。赤色の濃淡部分は、表面温度が高いことを示す。
【００４１】
こうしてＩＲカメラ２５で得られた赤外線画像（サーモグラフィー）は、画像情報２ａとしてデータ・ストレージ３に記録されるとともに、画像処理部５で解析され、すべてデータ処理され、その情報もデータ・ストレージ３に格納される。
ＩＲカメラ２５で得られた画像情報２ａの解析には、例えば市販の熱画像解析ソフトを利用することができる。本実施例においては、フリアーシステムズジャパン株式会社製のＦＬＩＲ  Ｔｏｏｌｓを利用した。
解析結果は、データ・ストレージ３に格納され、データベースに記録される。
図６（ａ）は、ＩＲカメラ２５で得られた画像情報２ａを熱画像解析ソフトで解析した解析データを、ＣＳＶファイル形式にエクスポートしたものの一部である。
図６（ｂ）は、データ・ストレージ３に格納された画像情報２ａの解析データの情報を、表計算ソフトのワークシートに出力し、温度データとして可視化したものである。ここでは、ワークシート上に、３００の種子ポット２３を備えた種子マット２１の種子２３ａの位置の温度データが表示されている。そして、数値の大きさをセルの濃淡で示し、目視により温度分布を確認できるように可視化処理が行われている。
このように、図５（ａ）の種子マット２１の表面をＲＧＢカメラ２４で撮像した画像情報２ａから、図５（ｂ）のＩＲカメラ２５で撮像されたアナログの赤外線画像（サーモグラフィー）に解析され、図６（ａ）に示したような温度データとして数値化され、数値の大きさにより図６（ｂ）に示すような温度分布により、植物特性の２次元分布を得る。
そして、その他の要因情報から得た植物特性や環境要因の２次元分布や、生理性能的反応情報、遺伝子特性情報等との関係で、例えば、温度分布で数値が大きい、すなわち高温度であると記録された位置と、種子の各個体の発芽の状態との関連付け、因果関係を導き出すことが可能となり、発芽率の好条件やばらつきの減少などの一要因と評価することができる。
【００４２】
図７は発芽経過時刻の頻度分布である。現状（あ）では経過時刻のばらつきが大きく、これが収穫量や収穫物の品質のばらつきの原因となる。一方、（い）に示すように播種から発芽までの経過時刻を短くし、ばらつきを最小限にすることができれば、発芽期そのものの期間を短くし、ランニングコストの削減になるだけでなく、品質、収量の安定性と可販率の向上が可能となる。
【実施例１】
【００４３】
上記では、種子マット（培地）の表面温度という環境要因をデータ化して植物特性の２次元分布を得たが、このようにして、種子マットをはじめ、種子の種類、養液率、発芽部内の温度などを変更し、様々な条件下で連続的に計測し追跡して植物個体群の特性データを収集し、それらから関連付け、因果関係の導出を図る。【００４４】
図８は種子含水率と発芽率の関係（ア）、種子サイズと発芽率の関係（イ）、養液率と播種から発芽までの経過時刻（ＨＡＳ：Ｈｏｕｒｓ  Ａｆｔｅｒ  Ｓｏｗｉｎｇ）の関係（ウ）、種子温度と発芽経過時刻のばらつき（ＨＡＳ）の関係（エ）を示す。発芽には水分、温度、酸素が必要であるが、それらの値が小さくても大きくても安定した高い発芽率は得られない。（ア）に示すように、水分不足もしくは、水分過多による酸素欠乏はいずれも発芽率の低下を招く。また、（イ）に示すように、小さい種子や萎縮した種子などは発芽しにくい傾向がある。（ウ）は、培地の含水率が低すぎると毛細管現象による培地の底部から液面が持ち上がる力に依存し、種子周辺が発芽に達する含水率となるまでの時間がすなわち発芽経過時刻となり、逆に養液率が高すぎると種子は養液中に浸水し酸素欠乏となる。これは培地の密度や素材などにより全く異なる。（エ）は発芽期に一定の低温環境下へさらした場合、植物の種類によっては発芽能力が誘導され、発芽のタイミングが揃いやすくなることがあることを示す。【００４５】
以上の結果は種子のタイプによっても異なる。
例えば、種子にはコート加工した種子と未加工の種子がある。種苗会社などの選抜・育種の過程では非コート種子を使用するが、生産者は播種の容易さからコート種子を使用することが多い。コート種子は、播種しやすいように形状、大きさが均一になるように種子の表面を無機粉体で被覆した造粒コート種子や、殺菌剤や殺虫剤などの農薬を含む樹脂で種子の表面を被覆したフィルムコート種子などがある。天然素材の粘土鉱物を主体とした粉体を用い種子を被覆し均一な球状にしたコート種子がレタスの栽培においてよく使用される。【００４６】
以上からも、発芽率を高め、発芽経過時刻のばらつきを減らすためには、さまざまなパターンの栽培データから総合的な解析が必要であることが窺える。【００４７】
図９は、本発明にかかる人工光型植物工場種子コホートフェノタイピングシステムにおける処理の流れの一例を示すフロー図である。
まず、初期値設定として、データセット入力部２から環境要因情報２ｂ、遺伝子特性情報２ｃ、人為的操作情報２ｄ、計測誤差情報２ｅ等を入力してデータ・ストレージ３に格納する（ステップ１、以下「Ｓ１」のように図示する。）。【００４８】
次に、ＲＧＢ画像情報取得手段（ＲＧＢカメラ２４）とＩＲ画像情報取得手段（ＩＲカメラ２５）を起動し、発芽期での成長過程における種子の形態、サイズ、色及び幼苗の形態、サイズ、色、種子温度、発芽のタイミング（発芽経過時刻）、培地表面温度、幼根の伸長速度、画像データなどを連続的に収集し、画像情報２ａとして取得し、データ・ストレージ３に格納する（ステップ２）。【００４９】
その後、データ・ストレージ３に格納された画像情報２ａを、演算・制御部１の制御指示に基づいて、画像処理部５で処理（ステップ３）するとともに、統計的データ解析部６で解析し、解析情報をデータ・ストレージ３に格納する（ステップ４）。【００５０】
その他、図示しないが、生理性能的反応として、発芽期の成長過程における種子が水を含み膨潤し、休眠状態にあった成長点が発育を開始する際の吸水速度、ならびに種子のサイズに対する養液の含水量（種子含水率）、発芽に必要な酸素濃度について、各種センサー２６から連続的に計測し、各計測情報をデータ・ストレージ３に格納する。【００５１】
また、同様に環境要因情報として、発芽期の成長過程における気温、飽差、養液率、養液温度、ｐＨ・電気伝導度等を連続的に計測し、各計測情報をデータ・ストレージ３に格納する。【００５２】
こうしてデータ・ストレージ３に格納された連続的に収集された各種情報は、演算・制御部１の制御指示に基づいて植物特性情報として解析される。【００５３】
各情報の解析後、各情報を関連付け、あるいは因果関係を導出するため、植物特性の２次元分布に対する寄与度を関連付け／因果関係導出計算部７で機械学習部（ディープラーニング部）４を用いて計算する（ステップ５）。【００５４】
そして、関連付け／因果関係の導出計算が完了すると、各情報を検証部８で検証する（ステップ６）。なお、関連付け／因果関係の導出計算が完了しない場合は、再度関連付け／因果関係導出計算部７で計算する。【００５５】
各情報の検証が完了すると、その結果を可視化部９で可視化処理する（ステップ７）。検証が完了しない場合には、再度検証処理を行う。こうして、データ・ストレージ３に格納された各種の情報に基づいて、対象となる植物における様々な植物特性の２次元分布を導きだし、発芽期の成長過程における植物個体群の植物特性を追跡して、各情報の関連付け、因果関係を導き出し自動で評価する。【００５６】
上記の実施例で説明した本発明に係る種子コホートフェノタイピングシステムは、小型のカメラとセンサーを用いるだけであるので、構成が簡単であり、非破壊であることから、出荷工程に差し障りが無く実施でき、かつ低コストである。【００５７】
そして、発生した膨大なデータは、クラウドコンピュータにオンラインで転送し、これを取得可能であり、特別な装置等を必要としない。【００５８】
また、人工光型植物工場においては、植物の生育に影響する全ての環境要因の制御が可能であり、その設定値についても日々蓄積される環境及び植物特性のビッグデータを利用し、ディープラーニング手法などから９９．９％以上の発芽率と、タイミングの揃った発芽、発芽後の均一な生育のための最適値を導き出す。【００５９】
上記種子コホートフェノタイピングシステムは、特に選抜・育種の目的で採取した種子において多大な労力と時間を要している発芽期に、均一な環境下で種子の挙動を評価することが可能となり、フェノタイピングに係る労力が従来と比較しおおよそ１０分の１以下、必要とする時間も略１０分の１以下となり、数百倍以上の高効率で行うことを可能にする。【００６０】
さらに、人工光型植物工場では、投入エネルギーの利用効率を高め、栽培面積の利用効率を高めるためには、１００％に近い発芽率が重要であり、特に大型植物工場（５０００株／一日当たりの生産）における今後必要となる自動化においては更に重要と考えられる。本装置は、９９．９％以上の発芽率と均一な苗の生産を可能とし、大型植物工場および種苗会社における種子選抜・育成作業における不発芽や生育のばらつきによる生産効率の低下を回避できる。更に大型植物工場で求められている自動化の促進に役に立つ。【００６１】
すなわち大量生産を行う植物工場においては、限られた栽培スペースの有効活用、均一な苗生産に加えて作業効率の向上である。発芽率を高め、苗の均一性を確立することができれば、育苗以降の工程の効率化と生産性の改善に大きく寄与することができる。【００６２】
本発明に係る種子コホートフェノタイピングシステムは、大型の商業的植物工場に限らず、小型―中型の商業的植物工場、教育用、自習用、趣味用などの小型―超小型の植物工場（植物モジュール）、更に一般圃場向けた高品質、均一な苗生産にも利用することができる。
【符号の説明】
【００６３】
１・・・演算・制御部
２・・・データセット入力部
２ａ・・・画像情報
２ｂ・・・環境要因情報
２ｃ・・・遺伝子特性情報
２ｄ・・・人為的操作情報
２ｅ・・・計算誤差情報
３・・・データ・ストレージ
４・・・機械学習部
５・・・画像処理部
６・・・統計的データ解析部
７・・・関連付け／因果関係導出計算部
８・・・検証部
９・・・可視化部
１０・・・その他
２０・・・発芽部の筐体
２１・・・種子マット
２２・・・養液を満たした播種箱
２３・・・種子ポット
２３ａ・・・種子
２４・・・ＲＧＢカメラ
２５・・・ＩＲカメラ
２６・・・センサー
２７・・・人工光モジュール（ＬＥＤパネル）
３０・・・統括制御部
【図１】
2020170939.tif 000003
【図２】
2020170939.tif 000004
【図３】
2020170939.tif 000005
【図４】
2020170939.tif 000006
【図５】
2020170939.tif 000007
【図６】
2020170939.tif 000008
【図７】
2020170939.tif 000009
【図８】
2020170939.tif 000010
【図９】
2020170939.tif 000011
【図１０】
2020170939.tif 000012
【国際調査報告】
2020170939.tif 000013
2020170939.tif 000014
2020170939.tif 000015
2020170939.tif 000016